(57)【要約】【課題】  音楽ＣＤに関するＣＤＤＢ情報を取得する際に、ＣＤＤＢ情報を自動選択させることができる「車載用オーディオ装置」を提供する。【解決手段】  車載用オーディオ装置に記憶された音楽ＣＤに関するＣＤＤＢ情報を取得する方法は、音楽ＣＤをリッピングするとき（ステップＳ２０２）、当該音楽ＣＤに関するＣＤＤＢ情報の有無を判定するステップ（ステップＳ２０３）と、ＣＤＤＢ情報が無いと判定されたとき、音楽ＣＤを識別するためのタイトル情報を入力するステップ（ステップＳ２０６）と、音楽ＣＤに関するＣＤＤＢ情報を取得するとき、ＴＯＣ情報とタイトル情報を通信手段を介してホームＰＣに送信するステップ（ステップＳ２０９）と、この送信に応答して音楽ＣＤに関するＣＤＤＢを取得し、これを記憶するステップ（ステップＳ２１０）とを有する。【選択図】  図３
2007141379.tif 000002
【特許請求の範囲】
【請求項１】
外部電子装置とデータ通信を可能にする通信手段と、
音楽データおよび音楽データに関する付加情報を記憶する記憶手段と、
音楽データを記憶するとき、当該音楽データに関する付加情報の有無を判定する判定手段と、
判定手段により音楽データに関する付加情報がないと判定されたとき、当該音楽データを識別するための識別情報を入力する入力手段と、
音楽データに関する付加情報を取得するとき、少なくとも前記識別情報を通信手段を介して外部電子装置に送信する付加情報取得手段と、
を有する車載用電子装置。
【請求項２】
前記識別情報は、音楽ＣＤを識別するためのタイトル情報を含む、請求項１に記載の車載用電子装置。
【請求項３】
タイトル情報は、アルバム名、アーティスト名、タイトル名、ジャンルのいずれかの少なくとも一部を含む、請求項２に記載の車載用電子装置。
【請求項４】
前記識別情報は、音楽ＣＤがリリースされた時期情報を含む、請求項１に記載の車載用電子装置。
【請求項５】
付加情報取得手段は、前記識別情報に加えて、音楽ＣＤのＴＯＣ情報を送信する、請求項１ないし４いずれか１つに記載の車載用電子装置。
【請求項６】
付加情報取得手段は、外部電子装置から通信手段を介して取得した音楽データの付加情報を前記記憶手段に記憶する、請求項１ないし５いずれか１つに記載の車載用電子装置。
【請求項７】
前記判定手段は、音楽ＣＤに収録された音楽データをリッピングするときに付加情報の有無を判定する、請求項１に記載の車載用電子装置。
【請求項８】
車載用電子装置に記憶された音楽データに関する付加情報を取得する方法であって、
音楽データを記憶するとき、当該音楽データに関する付加情報の有無を判定するステップと、
付加情報が無いと判定されたとき、当該音楽データを識別するための識別情報を入力するステップと、
音楽データに関する付加情報を取得するとき、少なくとも識別情報を通信手段を介して外部電子装置に送信するステップと、
識別情報の送信に応答して音楽データに関する付加情報を取得し、これを記憶するステップと、
を有する音楽データに関する付加情報の取得方法。
【請求項９】
前記識別情報は、音楽ＣＤを識別するためのタイトル情報を含む、請求項８に記載の取得方法。
【請求項１０】
送信するステップは、識別情報に加えて、音楽ＣＤのＴＯＣ情報を送信する、請求項９に記載の取得方法。
【請求項１１】
音楽データに関する付加情報を取得するシステムであって、
外部電子装置とデータ通信を可能にする通信手段、音楽データおよび音楽データに関する付加情報を記憶する記憶手段、音楽データを記憶するとき当該音楽データに関する付加情報の有無を判定する判定手段、判定手段により音楽データに関する付加情報がないと判定されたとき、当該音楽データを識別するための識別情報を入力する入力手段、および音楽データに関する付加情報を取得するとき、少なくとも識別情報を通信手段を介して外部電子装置に送信する付加情報取得手段とを備えた車載用電子装置と、
音楽データに関する付加情報を蓄積するサーバと、
サーバおよび車載用電子装置と通信する通信手段、車載用電子装置の付加情報取得手段から識別情報の送信があったとき、サーバから音楽データに関する付加情報を取得し、前記識別情報に該当する付加情報を選択する選択手段、および選択された付加情報を車載用電子装置に送信する送信手段を備えた外部電子装置と、
を有する音楽データに関する付加情報の取得システム。
【請求項１２】
外部電子装置は、車載用電子装置との間でデータを同期化するための同期化手段を含み、当該同期化手段によりデータの同期化が行われるときに、音楽データに関する付加情報の取得および送信が行われる、請求項１１に記載の取得システム。
【請求項１３】
前記識別情報は、音楽ＣＤを識別するためのタイトル情報は、アルバム名、アーティスト名、タイトル名、ジャンルのいずれかの少なくとも一部を含む、請求項１１に記載の取得システム。
【発明の詳細な説明】
【技術分野】
【０００１】
本発明は、データ保存機能を備えた車載用オーディオ装置に関し、特に、ＣＤ（Compact Disc）等の記録媒体に収録された音楽データをリッピングするときの音楽データに関する付加情報の保存方法に関する。
【背景技術】
【０００２】
車載用オーディオ装置は、音楽ＣＤを再生する機能に加えて、音楽ＣＤに収録されている音楽データをハードディスクにリッピング（コピー）し、音楽ＣＤを搭載することなしに、ハードディスクから音楽データを再生する機能を備えたものが実用化されている。
【０００３】
さらに車載用オーディオ装置には、携帯電話や無線ＬＡＮなどを利用したデータ通信機能が設けられ、データ通信により、家庭用パーソナルコンピュータ（以下、ホームＰＣという）などから音楽データをダウンロードし、ハードディスクへ保存することが可能になっている。
【０００４】
音楽ＣＤに収録された音楽データをハードディスクへ保存する場合、音楽ＣＤに収録された楽曲に関する付加情報（以下、ＣＤＤＢ情報という）を一緒に保存し、音楽データを再生する時に、このＣＤＤＢ情報をディスプレイへ表示することが行われている。ＣＤＤＢ情報は、音楽ＣＤに収録された楽曲ついてのアルバム名、アーティスト名、曲名などの情報を含んでいる。
【０００５】
特許文献１は、オーディオ装置において音楽ＣＤをリッピングするとき、予め記憶されたＣＤＤＢ情報が含まれているか否かを判定し、含まれている場合には、そのＣＤＤＢ情報を設定し、含まれていない場合には、ユーザーにＣＤＤＢ情報を入力させるようにしている。
【０００６】
また、ＣＤＤＢ情報を蓄積するＣＤＤＢサーバからネットワークを介してＣＤＤＢ情報を取得することも可能である。新譜の音楽ＣＤがリリースされると、そのＣＤＤＢ情報がＣＤＤＢサーバに登録され、ＣＤＤＢ情報が更新されると、それに応じてＣＤＤＢサーバが更新されるようになっている。
【０００７】
車載用オーディオ装置やホームＰＣにおいて、音楽ＣＤを再生するとき、ＣＤＤＢ情報がない場合には、自動的にＣＤＤＢサーバへアクセスし、そこから該当するＣＤＤＢ情報をリアルタイムでダウンロードするようなソフトウエアも実用化されている。
【０００８】
【特許文献１】特開２００４−２４６９３７号
【発明の開示】
【発明が解決しようとする課題】
【０００９】
車載用オーディオ装置がデータ保存機能やデータ通信機能を備えたことに伴い、ホームＰＣで得られた音楽環境と同じ音楽環境を車載用オーディオ装置に求める需要が増加している。このため、車両を自宅付近に駐車させている夜間等に、車載用オーディオ装置とホームＰＣとを無線ＬＡＮ等により通信可能な状態にし、ホームＰＣに保存された音楽データを車載用オーディオ装置へ転送する、すなわち、データの同期化処理が行われている。
【００１０】
同期化処理において、車載用オーディオ装置でリッピングした音楽ＣＤのＴＯＣ情報(Table of Content)をホームＰＣへ送信し、ホームＰＣ側からＣＤＤＢサーバへアクセスし、ホームＰＣで取得したＣＤＤＢ情報を車載用オーディオ装置へ送信する仕様が検討されている。ＴＯＣ情報は、音楽ＣＤのトラック数やトラックに収録された演奏時間を含み、音楽ＣＤを識別する情報として用いられる。
【００１１】
図７は、車載用オーディオ装置からホームＰＣを介してＣＤＤＢ情報を取得するときの動作フローを示している。車載用オーディオ装置は、同期化処理において音楽ＣＤを識別する情報としてＴＯＣ情報をホームＰＣへ送信する（ステップＳ１０１）。ホームＰＣは、インターネットを介してＣＤＤＢサーバにアクセスし、ＴＯＣ情報に基づくＣＤＤＢ検索を実行する（ステップＳ１０２）。ＣＤＤＢサーバは、ＣＤＤＢ情報の検索結果をホームＰＣへ送信し（ステップＳ１０３）、ホームＰＣがＣＤＤＢ情報を車載用オーディオ装置に送信する（ステップＳ１０４）。
【００１２】
しかしながら、ＴＯＣ情報によりＣＤＤＢ情報検索を実行したとき、大量の音楽ＣＤの中には同一のＴＯＣ情報を含むものが存在するため、複数のＣＤＤＢ情報がヒットすることがある。ホームＰＣは、そのような複数のヒットしたＣＤＤＢ情報のリストを取得しても、どのＣＤＤＢ情報が正しい音楽ＣＤに対応するものかを自動判定することができず、その結果、車載用オーディオ装置に対して、ＣＤＤＢ情報の取得不可またはエラーを返信することになってしまう。
【００１３】
本発明は、上記従来の課題を解決するために成されたもので、音楽データに関する付加情報を取得する際に、付加情報を自動選択させることができる車載用電子装置を提供することを目的とする。
さらに本発明は、外部電子装置とデータの同期化を行う際に、音楽データに関する付加情報を正しく取得することができる車載用電子装置を提供することを目的とする。
【課題を解決するための手段】
【００１４】
本発明に係る車載用電子装置は、外部電子装置とデータ通信を可能にする通信手段と、音楽データおよび音楽データに関する付加情報を記憶する記憶手段と、音楽データを記憶するとき、当該音楽データに関する付加情報の有無を判定する判定手段と、判定手段により音楽データに関する付加情報がないと判定されたとき、当該音楽データを識別するための識別情報を入力する入力手段と、音楽データに関する付加情報を取得するとき、少なくとも識別情報を通信手段を介して外部電子装置に送信する付加情報取得手段とを有する。
【００１５】
好ましくは識別情報は、音楽ＣＤを識別するためのタイトル情報を含み、タイトル情報は、アルバム名、アーティスト名、タイトル名、ジャンルのいずれかを含み、タイトル情報の少なくとも一部の文字列、例えば、先頭３文字を含むものであってもよい。また、識別情報は、音楽ＣＤがリリースされた時期情報を含むものでもよい。
【００１６】
好ましくは付加情報取得手段は、識別情報に加えて、音楽ＣＤのＴＯＣ情報を送信する。ＴＯＣ情報と識別情報を組み合わせることで、音楽データに関する付加情報（ＣＤＤＢ情報）を特定することができ、特定された付加情報（ＣＤＤＢ情報）を適切に取得することができる。
【００１７】
本発明に係る、車載用電子装置に記憶された音楽データに関する付加情報を取得する方法は、音楽データを記憶するとき、当該音楽データに関する付加情報の有無を判定するステップと、付加情報が無いと判定されたとき、音楽データを識別するための識別情報を入力するステップと、音楽データに関する付加情報を取得するとき、少なくとも識別情報を通信手段を介して外部電子装置に送信するステップと、識別情報の送信に応答して前記音楽データに関する付加情報を取得し、これを記憶するステップとを有する。
【００１８】
本発明に係る、音楽データに関する付加情報を取得するシステムは、外部電子装置とデータ通信を可能にする通信手段、音楽データおよび音楽データに関する付加情報を記憶する記憶手段、音楽データを記憶するとき当該音楽データに関する付加情報の有無を判定する判定手段、判定手段により音楽データに関する付加情報がないと判定されたとき、当該音楽データを識別するための識別情報を入力する入力手段、および音楽データに関する付加情報を取得するとき、少なくとも識別情報を通信手段を介して外部電子装置に送信する付加情報取得手段とを備えた車載用電子装置と、音楽データに関する付加情報を蓄積するサーバと、サーバおよび車載用電子装置と通信する通信手段、車載用電子装置の付加情報取得手段から識別情報の送信があったとき、サーバから音楽データに関する付加情報を取得し、前記識別情報に該当する付加情報を選択する選択手段、および選択された付加情報を車載用電子装置に送信する送信手段を備えた外部電子装置とを有する。
【００１９】
好ましくは外部電子装置は、車載用電子装置との間でデータを同期化するための同期化手段を含み、当該同期化手段によりデータの同期化が行われるときに、音楽データに関する付加情報の取得および送信が行われる。
【発明の効果】
【００２０】
本発明に係る車載用電子装置によれば、音楽データを記憶するとき、当該音楽データに関する付加情報が含まれていない場合には、音楽データを識別するための識別情報を入力可能とし、音楽データに関する付加情報を取得するとき、少なくとも識別情報を外部電子装置に送信するようにしたので、外部電子装置において音楽データに関する付加情報の特定が容易となり、その結果、外部電子装置から車載用電子装置に対し、音楽データに関する付加情報を適切に送信することができる。
【発明を実施するための最良の形態】
【００２１】
以下、本発明の最良の実施の形態について図面を参照して詳細に説明する。
【実施例】
【００２２】
図１は、本発明の実施例に係るＣＤＤＢ情報の取得システムを示す図である。本発明の実施例に係る取得システムは、図１に示すように、車両に搭載された車載用オーディオ装置１００、ホームＰＣ２００、およびＣＤＤＢサーバ３００間においてＣＤＤＢ情報を取得する。車載用オーディオ装置１００は、その機能を特に限定されるものではないが、少なくとも外部電子装置とデータ通信をする機能、データを保存する機能、およびオーディオデータを再生する機能等を備えている。
【００２３】
ホームＰＣ２００は、その機能が特に限定されるものではないが、車載用オーディオ装置とデータ通信が可能であり、かつインターネット等の通信手段を介してＣＤＤＢサーバ３００に接続可能なパーソナルコンピュータである。また、ホームＰＣ２００は、その音楽データ等のライブラリを車載用オーディオ装置１００に設定することができるようにデータ同期化用アプリケーションソフトを搭載している。データ同期化用アプリケーションは、好ましくは、自宅近傍に自車が駐車されている間に、無線ＬＡＮ等のデータ通信により車載用オーディオ装置１００とホームＰＣ２００間の同期化処理を行う。この際、車載用オーディオ装置１００は、車両のバッテリーから電源供給を受けて動作可能な状態に置かれる。
【００２４】
図２は、車載用オーディオ装置の構成を示すブロック図である。車載用オーディオ装置１００は、音楽ＣＤの再生を行うためのオーディオ再生部１１０、再生された音楽データのオーディオ出力をするオーディオ出力部１１２、音楽データの再生時にＣＤＤＢ情報等の表示を行う表示部１１４、無線ＬＡＮ等を利用してデータ通信を可能とするデータ通信部１１６、音楽データ、ＣＤＤＢ情報およびアプリケーションソフトウエア等を記憶する記憶装置（ハードディスク）１１８、プログラムデータや演算データ等を一時的に記憶するメモリ１２０、ユーザーからの指示等を入力する操作部１２２、外部電子機器や携帯用メモリ等との外部接続を可能にする外部インターフェース（Ｉ／Ｆ）１２４、各部を制御する制御部（ＣＰＵ）１３０を含み、これらはバス１４０によって接続されている。
【００２５】
制御部１３０は、音楽ＣＤに収録された音楽データを記憶装置１１８にリッピングしたり、データ通信部１１６を介してホームＰＣ２００やその他のネットワークサーバから転送された音楽データ等を格納したり、外部インターフェース１２４に接続されたメモリ媒体から音楽データ等を格納することができる。また、制御部１３０は、操作部１２２からの指示に応答して、記憶装置１１８に格納された音楽データを再生したり、オーディオ再生部１１０に装着された音楽ＣＤを再生させることができる。
【００２６】
次に、車載用オーディオ装置１００におけるＣＤＤＢ情報の取得動作について図３のフローを参照して説明する。音楽ＣＤがオーディオ再生部１１０において読取り可能な状態にセットされ、操作部１２２を介してリッピングの指示が成されると（ステップＳ２０１）、制御部１３０は、この指示に応答して、オーディオ再生部１１０により読取られた音楽ＣＤの音楽データのリッピングを開始する（ステップＳ２０２）。音楽ＣＤの音楽データには、ＴＯＣ情報とオーディオトラックに記録された楽曲データが含まれており、制御部１３０は、これらのＴＯＣ情報および楽曲データを記憶装置１１８に保存する。楽曲データは、好ましくは、ＭＰ３等のフォーマットで圧縮される。
【００２７】
制御部１３０はさらに、音楽ＣＤにＣＤＤＢ情報が含まれているか否かを判定する（ステップＳ２０３）。ＣＤＤＢ情報が含まれている場合には、音楽データとともにＣＤＤＢ情報を格納する（ステップＳ２０４）。一方、ＣＤＤＢ情報が含まれていない場合には、制御部１３０は、表示部１１４にタイトル情報の入力を促すための入力画面を表示させる（ステップＳ２０５）。
【００２８】
ユーザーは、入力画面から、タイトル情報として、タイトル名、アルバム名、アーティスト名、ジャンルなどを入力する（ステップＳ２０６）。タイトル情報は、音楽ＣＤを識別するための固有の情報であればよいため、必ずしも、タイトル名やアルバム名のすべての文字列を入力する必要はなく、それらの一部、例えば、先頭の３文字の入力であってもよい。入力されたタイトル情報は、ＴＯＣ情報と関連付けされて記憶装置１１８に記憶され（ステップＳ２０７）、後に実行されるＣＤＤＢ情報の検索情報として利用される。
【００２９】
図４に、音楽ＣＤに収録された音楽データをリッピングするときに作成される管理テーブルの例を示す。管理テーブルは、記憶装置１１８の所定のメモリ空間内に作成される。管理テーブルは、ＣＤ識別情報としてのＴＯＣ情報、音楽データの保存先アドレス、ＣＤＤＢ情報の保存先アドレス、タイトル情報の保存先アドレスを含んでいる。例えば、ＴＯＣ＃１やＴＯＣ＃２の音楽ＣＤは、ＣＤＤＢ情報が含まれているため、ＣＤＤＢ情報のフラグが「１」にセットされ、ＣＤＤＢ情報の保存先アドレス（ＣＤＤＢ＃１、ＣＤＤＢ＃２）が設定される。タイトル情報は入力されないため、そのフラグが「０」にセットされる。一方、ＴＯＣ＃３の音楽ＣＤは、ＣＤＤＢ情報を含んでいないため、フラグが「０」にセットされ、その代わりに、タイトル情報が入力されるのでフラグが「１」にセットされ、保存先アドレス（ＴｉＴｌｅ＃３）が設定される。
【００３０】
再び図３に戻り、車載用オーディオ装置１００とホームＰＣ２００との同期化処理が開始されると（ステップＳ２０８）、その同期化処理中に、制御部１３０は、ホームＰＣ２００に対して、ＴＯＣ情報およびタイトル情報を含む検索情報を送信する（ステップＳ２０９）。ホームＰＣ２００は、この送信を受け取ると、ＣＤＤＢ情報の取得の要求があったものと判断し、ＣＤＤＢサーバ２００からＣＤＤＢ情報を取得する。そして、ホームＰＣ２００において取得されたＣＤＤＢ情報は、車載用オーディオ装置１００に送信され、ＣＤＤＢ情報が記憶装置１１８に保存される（ステップＳ２１０）。
【００３１】
同期化処理は、上記したように、車載用オーディオ装置１００を搭載した車両が自宅付近の駐車場に夜間等に駐車されている間に実行される。バッテリーにより電源オンされた車載用オーディオ装置１００とホームＰＣ２００が無線ＬＡＮ等により通信可能状態におかれ、ホームＰＣ２００に搭載された同期化用アプリケーションソフトが同期化処理を行うようになっている。
【００３２】
図５は、同期化処理を行うときの車載用オーディオ装置、ホームＰＣ、およびＣＤＤＢサーバ間のＣＤＤＢ情報の取得動作を説明する図である。車載用オーディオ装置１００の制御部１３０は、データ通信部１１６を介して、ＣＤＤＢ情報を検索するための検索情報をホームＰＣへ送信する（ステップＳ３０１）。検索情報は、ＴＯＣ情報とそれに対応するタイトル情報を含む。例えば、図４の管理テーブルに示す、ＴＯＣ＃３のＣＤＤＢ情報を取得する場合には、ＴＯＣ情報＃３とそれに対応するタイトル情報（Ｔｉｔｌｅ＃３）が検索情報として送信される。
【００３３】
ホームＰＣ２００は、検索情報を受け取ると、ＣＤＤＢサーバ３００へインターネット等を介してアクセスし、ＴＯＣ情報を用いてＣＤＤＢ情報の検索を実行する（ステップＳ３０２）。ＣＤＤＢサーバ３００は、ＴＯＣ情報に対応するＣＤＤＢ情報の検索結果をホームＰＣ２００へ送信する（ステップＳ３０３）。
【００３４】
ＣＤＤＢ情報の検索結果は、最初にアルバム情報（タイトル、アルバム名、アーティスト名、ジャンル）のリストを含んでいる。ホームＰＣ２００は、ＣＤＤＢ情報の検索結果のリストを参照し、タイトル情報に基づき対象となるアルバム情報を選択する。（ステップＳ３０４）。すなわち、アルバム情報が１つの場合には、自動的に、当該アルバム情報が選択されるが、複数のアルバム情報が存在する場合には、検索情報に含まれるタイトル情報を参照し、タイトル情報に合致するアルバム情報が選択される。ホームＰＣ２００は、アルバム情報の選択後、選択されたアルバム情報についての詳細なＣＤＤＢ情報を取得することができる。そして、ホームＰＣ２００で取得されたＣＤＤＢ情報は、車載用オーディオ装置１００へ送信される（ステップＳ３０５）。
【００３５】
車載用オーディオ装置１００の制御部１３０は、ＣＤＤＢ情報を受け取ると、当該ＣＤＤＢ情報を、対応する音楽ＣＤのＣＤＤＢ情報として記憶装置１１８に保存する（ステップＳ３０６）。さらに、制御部１３０は、管理テーブルのフラグを更新する。ＴＯＣ情報＃３についてのＣＤＤＢ情報が取得されたとき、制御部１３０は、ＣＤＤＢ情報のフラグを「１」にし、タイトル情報のフラグを「０」にする。
【００３６】
本実施例の車載用オーディオ装置によれば、ＣＤＤＢ情報を取得する場合に、車載用オーディオ装置１００からアルバム名やアーティスト名の頭文字のタイトル情報をＴＯＣ情報と一緒にホームＰＣ２００へ送信することにより、ＣＤＤＢ情報が複数存在する場合に、ホームＰＣ側でタイトル情報を参照して該当するＣＤＤＢ情報を自動選択することが可能となる。このため、車載用オーディオ装置１００は、適切に所望のＣＤＤＢ情報を取得し、保存することができる。
【００３７】
なお、上記実施例では、ホームＰＣがＣＤＤＢ情報を取得する際に、事前にアルバム情報のリストを取得してから詳細なＣＤＤＢ情報を取得する例を示したが、これに限らず、一度に複数の詳細なＣＤＤＢ情報を取得し、そこから該当するＣＤＤＢ情報を選択するようにしてもよい。
【００３８】
次に、本発明の第２の実施例について説明する。上記実施例では、リッピング時にＣＤＤＢ情報が含まれていない場合には、タイトル情報を入力する例を示したが、第２の実施例では、ＣＤＤＢ情報を絞り込むための検索時期情報を入力する。
【００３９】
リッピング時にＣＤＤＢ情報が含まれていないとき、ユーザーは、例えば音楽ＣＤがリリースされた時期を参照し、その検索時期情報を入力する。検索時期情報は、ＴＯＣ情報とともに管理テーブルに保存され、同期化処理のときに、ホームＰＣ２００へ送信される。ホームＰＣ２００は、ＣＤＤＢ情報の検索を実行するとき、検索時期情報を参照し、当該検索時期情報よりも古いＣＤＤＢ情報を検索対象範囲から除外する。これにより、ＴＯＣ情報を用いた検索において、複数のＣＤＤＢ情報がヒットする確率を抑制することができる。車載用オーディオ装置から送信する検索情報として、ＴＯＣ情報に、検索時期情報と上記実施例で説明したタイトル情報とを含めるようにしてもよい。
【００４０】
上記実施例では、車載用オーディオ装置を例示したが、車載用オーディオ装置は、例えば図６に示すように、ナビゲーション機能４００、オーディオ・ビデオ機能４１０、テレビ・ラジオ機能４２０を複合的に含む車載用電子装置または車載用電子システム１０２であってもよい。
【００４１】
また上記実施例では、車載用オーディオ装置とホームＰＣの同期化処理を実行するときに、ＣＤＤＢ情報の取得を行うようにしたが、同期化処理の実行時以外に、車載用オーディオ装置とホームＰＣ間の通信を確立し、そのときにＣＤＤＢ情報を取得するようにしてもよい。さらに、車載用オーディオ装置とホームＰＣの通信手段は、無線ＬＡＮに限らず、他の通信手段を用いても良い。さらに、上記実施例では、ホームＰＣを例示したが、これ以外にも携帯用ＰＣやその他の電子装置であってもよい。
【００４２】
以上、本発明の好ましい実施の形態について詳述したが、本発明に係る特定の実施形態に限定されるものではなく、特許請求の範囲に記載された本発明の要旨の範囲内において、種々の変形・変更が可能である。
【産業上の利用可能性】
【００４３】
本発明は、ＣＤ、ＤＶＤ等の音楽データを再生したり、リッピングする車載用オーディオ装置として広く利用される。
【図面の簡単な説明】
【００４４】
【図１】本発明の実施例に係るＣＤＤＢ情報の取得システムを示す図である。
【図２】本発明の実施例に係る車載用オーディオ装置の構成を示すブロック図である。
【図３】本発明の実施例に係る車載用オーディオ装置におけるＣＤＤＢ情報の取得動作を示すフローである。
【図４】音楽データおよびＣＤＤＢ情報の管理テーブルを示す図である。
【図５】車載用オーディオ装置、ホームＰＣおよびＣＤＤＢサーバ間のＣＤＤＢ情報の取得動作を説明する図である。
【図６】車載用オーディオ装置の他の構成例を示す図である。
【図７】従来のＣＤＤＢ情報を取得する例を示す図である。
【符号の説明】
【００４５】
１００：車載用オーディオ装置          １１０：オーディオ再生部
１１２：オーディオ出力部              １１４：表示部
１１６：データ通信部                  １１８：記憶装置（ハードディスク）
１２０：メモリ                        １２２：操作部
１２２：インテーフェース              １３０：制御部
１４０：バス
【図１】
2007141379.tif 000003
【図２】
2007141379.tif 000004
【図３】
2007141379.tif 000005
【図４】
2007141379.tif 000006
【図５】
2007141379.tif 000007
【図６】
2007141379.tif 000008
【図７】
2007141379.tif 000009